(57)【要約】【課題】携行が容易でかつ簡単に装着できる長靴を提供する。【解決手段】履き口１５からの靴３０の挿入により靴３０の外側を覆う靴カバー部１０と、折り畳み可能な軟質の合成樹脂製シートで履き口１５に連続しその履き口１５から上方に向かって所定長さ延在する筒状の胴部２０と、靴カバー部１０内に装填され靴３０により踏みつけられることにより気体を送出する気体保持・供給手段１７と、気体保持・供給手段１７からの気体の供給を受けることにより胴部２０を折り畳み状態から履き口１５より上方に向かって筒状に起立する起立姿勢状態に変形させ、起立姿勢状態に保持可能な起立姿勢状態保持手段２３とを有する。【選択図】  図３
2004305427.tif 000002
【特許請求の範囲】
【請求項１】
靴を履いた状態でその外側に装着可能な長靴であって、
前記靴を挿入可能な履き口を有し、該履き口からの前記靴の挿入により前記靴の外側を覆う靴カバー部と、
折り畳み可能な軟質の合成樹脂製シートによって構成され、前記履き口に連続して設けられ前記履き口から上方に向かって所定長さ延在する筒状の胴部と、
前記靴カバー部内に装填され前記靴により踏みつけられることにより気体を送出する気体保持・供給手段と、
前記胴部に設けられ前記気体保持・供給手段からの気体の供給を受けることにより前記胴部を折り畳み状態から前記履き口より上方に向かって筒状に起立する起立姿勢状態に変形させ、該起立姿勢状態に保持可能な起立姿勢状態保持手段と、
を有することを特徴とする長靴。
【請求項２】
前記起立姿勢状態保持手段は、内周壁と外周壁との二重壁構造を有し、前記内周壁と外周壁との間は前記気体が充填される中空部とされていることを特徴とする請求項１に記載の長靴。
【請求項３】
前記靴カバー部は、該靴カバー部の甲部を前記合成樹脂製シートにより構成したことを特徴とする請求項１または２に記載の長靴。
【請求項４】
前記気体保持・供給手段は、
前記靴カバー部内で前記靴の踵を受け入れる位置に配置され、前記気体を収容しかつ前記靴による踏みつけにより圧潰可能なガス容器を有し、
該ガス容器の圧潰により、前記ガス容器内に収容されている気体を送出し前記起立姿勢状態保持手段の中空部に供給することを特徴とする請求項１〜３のいずれかに記載の長靴。
【発明の詳細な説明】
【０００１】
【発明の属する技術分野】
本発明は、靴を履いたままその外側に履くことができる長靴に関する。
【０００２】
【従来技術】
図４は、第１の従来例を説明する図であり、図５は第２の従来例を説明する図である。例えば、図４に示すように、折り畳み式の携帯用の長靴１００が提案されている。この長靴１００は、柔軟性のある材料によって二重壁構造に形成され空気を充填可能な中空部を備えた靴本体１０１と、靴本体１０１に設けられ中空部に連通する空気供給排出口１０２と、その空気供給排出口１０２を塞ぐ蓋体１０３と、靴本体１０１に一体に設けられた靴底１０４とによって構成されている。そして、使用時に空気を入れ、使用しないときには空気を抜いて折り畳み、携行できるように構成されている（例えば、特許文献１参照）。
【０００３】
また、図５に示すように、短靴１１１の周りに雨よけのカバー１１２を付けた雨靴１１０が提案されている。この雨靴１１０は、短靴１１１の周りを覆う筒形カバー１１２と、筒形カバー１１２の上部に設けられた締結用紐１１３とを有しており、未使用時には折り畳んで携行し、使用時には、短靴１１１を筒形カバー１１２内に入れ、締結用紐１１３で筒形カバー１１２の上部を脚部に縛り付けることにより、短靴１１１が雨に濡れないように構成されている（例えば、特許文献２参照）。
【０００４】
【特許文献１】
実用新案登録３０６１０７８号公報
【特許文献２】
実開平３−８５９０８号公報
【０００５】
【発明が解決しようとする課題】
しかしながら、第１の従来例の場合、空気供給排出口１０２から空気を入れる作業が必要である。かかる作業は煩雑であり、長靴１００の利用を躊躇させるものである。また、この長靴１００が短靴（図示せず）の外側に装着するタイプのものである場合には、短靴を履いたままでは行うことができない。かかる場合、装着するためには、短靴を一度脱いで、長靴１００内に挿入し、該挿入した状態で長靴１００に空気を入れる作業を行い、その後に履く必要がある。したがって、簡単に装着することはできない。
【０００６】
また、第２の従来例の場合、装着するためには、筒形カバー１１２内に短靴１１１を入れて、筒形カバー１１２の上部を締結用紐１１３で脚部に縛り付ける作業が必要である。このような作業は、その場にかがみ込むなどして行う必要があり、煩雑となり、手軽に利用できるものではない。
【０００７】
本発明は、上述の点に鑑みてなされたものであり、その目的は、携行が容易でかつ簡単に装着できる長靴を提供することにある。
【０００８】
【課題を解決するための手段】
上記課題を解決する請求項１に記載の発明による長靴は、靴を履いた状態でその外側に装着可能な長靴であって、靴を挿入可能な履き口を有し、履き口からの靴の挿入により靴の外側を覆う靴カバー部と、折り畳み可能な軟質の合成樹脂製シートによって構成され、履き口に連続して設けられ履き口から上方に向かって所定長さ延在する筒状の胴部と、靴カバー部内に装填され靴により踏みつけられることにより気体を送出する気体保持・供給手段と、胴部に設けられ気体保持・供給手段からの気体の供給を受けることにより胴部を折り畳み状態から履き口より上方に向かって筒状に起立する起立姿勢状態に変形させ、起立姿勢状態に保持可能な起立姿勢状態保持手段と、を有することを特徴とする。
【０００９】
この発明によると、履き口から靴カバー部内に靴を挿入し、その靴で気体保持・供給手段を踏みつけることにより、気体を起立姿勢状態保持手段に供給し、胴部を折り畳み状態から起立姿勢状態に変形させ、かかる起立姿勢状態に保持することができる。したがって、靴を履いたままでその外側に長靴を簡単に装着することができる。そして、胴部を常に起立姿勢状態に保持することができるので、使用中に胴部が下がって上方から雨水などが浸入するのを防ぐことができる。また、未使用時には、胴部が折り畳まれているので、コンパクトな形とすることができ、携行を容易なものとすることができる。
【００１０】
請求項２に記載の発明は、請求項１に記載の長靴において、起立姿勢状態保持手段は、内周壁と外周壁との二重壁構造を有し、内周壁と外周壁との間は気体が充填される中空部とされていることを特徴とする。
【００１１】
この発明は、起立姿勢状態保持手段の具体的な形状を特定したものであり、これによれば、製造の容易化を図ることができ、製造コストを低減することができる。また、例えば、内周壁と外周壁を胴部のものと共用した場合には、胴部自体を起立姿勢状態保持手段とすることができる。したがって、部品点数の削減により更に製造コストを低減することができる。
【００１２】
請求項３に記載の発明は、請求項１または２に記載の長靴において、靴カバー部は、その靴カバー部の甲部を合成樹脂製シートにより構成したことを特徴とする。
【００１３】
この発明によると、靴カバー部は、甲部を合成樹脂製シートにより構成したので、履き口に靴を挿入する際に、甲部を前方に大きく拡げることができる。したがって、靴の挿入を容易に行うことができ、長靴への装着を更に容易なものとすることができる。また、足首の角度変化に応じて甲部で屈曲させることができ、歩行を容易なものとすることができる。
【００１４】
請求項４に記載の発明は、請求項１〜３のいずれかに記載の長靴において、気体保持・供給手段は、靴カバー部内で靴の踵を受け入れる位置に配置され、気体を収容しかつ靴による踏みつけにより圧潰可能なガス容器を有し、ガス容器の圧潰により、ガス容器内に収容されている気体を送出し起立姿勢状態保持手段の中空部に供給することを特徴とする。
【００１５】
この発明によると、ガス容器が靴カバー部内で靴の踵の下方位置に配置されているので、靴の踵での踏みつけ動作を容易に行うことができ、ガス容器内に収容されている気体を起立姿勢状態保持手段の中空部に確実に供給することができる。したがって、胴部の折り畳み状態から起立姿勢状態への変形及び保持を容易かつ確実に行うことができる。
【００１６】
【発明の実施の形態】
次に、本発明の実施の形態について図に基づいて説明する。
【００１７】
図１は、本実施の形態における長靴１の斜視図、図２は、長靴１の構成を説明する図、図３は、靴３０を履いた状態でその外側に長靴１を装着する方法を説明する図である。
【００１８】
本実施の形態における長靴１は、雨水などによって濡れないように靴３０及び足首付近（図示せず）を包囲するものであって、靴３０を履いたままでその外側に装着することができる長靴１である。
【００１９】
長靴１の靴カバー部１０は、硬質ゴムなどの所定の剛性を有する合成樹脂製材料により構成されており、靴底１１、爪先１２、腰部１３、踵１４が一体に形成され、爪先１２、腰部１３、踵１４の各上端に沿うように履き口１５が形成されている。
【００２０】
靴底１１は、靴３０よりもひとまわり大きな略平板形状を有しており、その下面には滑り止め用の溝（図示せず）が凹設されている。爪先１２は、靴底１１前部の端縁に沿って連続して設けられており、靴底１１前部と協働して靴３０の前部を覆うように形成されている。腰部１３は、靴底１１側部に沿って前後方向に延在し、前端が爪先１２の後部でその左右両側に連続して設けられ、靴底１１側部と協働して靴３０の側部をその外側から覆うように形成されている。踵１４は、靴底１１の後部に連続して設けられており、その上面には、靴３０の踵を受け入れ可能な凹部１６が設けられている。
【００２１】
この凹部１６には、靴カバー部１０内に挿入した靴３０の踵３１で踏みつけることにより、所定の気体を送出する気体保持・供給手段１７が設けられている。気体保持・供給手段１７は、本実施の形態では、ヘリウムガスを圧縮収容するガス容器１７によって構成されており、凹部１６内に装填されている。このガス容器１７は、靴３０で踏みつけることにより圧潰され、ヘリウムガスを送出するように構成されており、その送出したヘリウムガスを胴部２０の中空部に導くためのガス通路１８が接続されている。
【００２２】
一方、長靴１の胴部２０は、折り畳み可能な軟質の合成樹脂製シート、例えばペットボトルをリサイクル再生した防水機能を有するシートによって構成されており、その履き口１５から上方に向かって所定長さ延在する筒状に形成されている。
【００２３】
胴部２０は、合成樹脂製シートからなる内周壁２１と外周壁２２の上端同士及び下端同士をそれぞれ溶着することにより、間にヘリウムガスを充填可能な中空部２４を形成する二重構造を有している。この中空部２４は、内周壁２１と外周壁２２を、胴部２０の前部、後部、左側部、右側部の４箇所においてそれぞれ上下に亘って溶着し、合計で４つの気室２４ａ、２４ｂ、２４ｃ、２４ｄに区画され、それぞれに上述のガス通路１８の他端が連通接続されている。そして、ガス容器１７からのヘリウムガスの供給により、胴部２０を折り畳み状態から履き口１５より上方に向かって筒状に起立する起立姿勢状態（図１参照）に変形させ、起立姿勢状態に保持する起立姿勢状態保持手段２３を構成している。
【００２４】
上記構成を有する胴部２０の下端は、履き口１５の全周に亘って溶着されており、雨水などの浸入を防ぐようにシールされている。また、本実施の形態では、靴カバー部１０の甲部２６が、胴部２０を構成する合成樹脂製シートと同一の材料からなる１枚の軟質シートにより構成されている。
【００２５】
次に、上記構成を有する長靴１を装着する方法について図３に基づいて以下に説明する。
【００２６】
まず、装着前の長靴１は、その胴部２０が、中空部２４内の気体を抜いたシート状にされ、履き口１５の周りに沿うように上下方向に折り畳まれている。装着時には、まず、かかる状態の長靴１を地面に置き、そして、靴３０を履いた状態でその先端を履き口１５から靴カバー部１０内に挿入する（図３（ａ）参照）。
【００２７】
それから、靴３０の踵３１を下に降ろし、長靴１の踵１４に収容されているガス容器１７を踏みつける（図３（ｂ）参照）。ガス容器１７は、靴３０の踵３１によって踏みつけられると、圧潰してヘリウムガスを送出する。ガス容器１７から送出されたヘリウムガスは、ガス通路１８を介して中空部２４に流入し、各気室２４ａ、２４ｂ、２４ｃ、２４ｄに充填される。ヘリウムガスが各気室２４ａ、２４ｂ、２４ｃ、２４ｄに流入し充填されると、胴部２０は、図３（ｂ）に示す折り畳み状態から、図３（ｃ）に示す起立姿勢状態に変形され、その起立姿勢状態に保持される。
【００２８】
したがって、単なる踏みつけ動作のみで長靴１を簡単に装着することができ、長靴１を履く際の煩雑さを解消することができる。そして、装着後は、起立姿勢状態に保持することにより、胴部２０が下方に下がってくるのを防止し、ズボンの裾や足首周辺が雨水によって濡れるのを防ぐことができる。
【００２９】
また、装着する前は、胴部２０が折り畳まれた状態となっているので、コンパクトな形にすることができ、携行を容易なものとすることができる。また、収納スペースも小さくてよいことから、駅の売店やコンビニエンスストア等の売り場面積が狭小の商店等にも置くことができ、販売することができる。
【００３０】
また、本実施の形態では、後部２６を１枚の合成樹脂製シートにより構成したので、履き口１５に靴３０を挿入する際に、甲部２６を前方に大きく拡げることができる。したがって、履き口１５への靴３０の挿入を容易に行うことができ、長靴１の装着を更に容易なものとすることができる。また、この甲部２６により、靴カバー部１０と胴部２０との間を、足首の角度変化に応じて容易に屈曲させることが可能となり、歩行を容易なものとすることができる。
【００３１】
尚、本発明は、上述の実施の形態に限定されるものではなく、本発明の趣旨を逸脱しない範囲で種々の変更が可能である。例えば、上述の実施の形態では、ヘリウムガスを例に説明したが、中空部２４に充填されることによって胴部２０を折り畳み状態から起立姿勢状態に変形させ、起立姿勢状態に保持する気体であれば他のものであってもよい。また、ガス容器１７及びヘリウムガスの代わりに、靴３０の踵３１で踏みつけることにより中空部２４に空気を送出する足踏みポンプ等を設けてもよい。
【００３２】
【発明の効果】
以上説明したように、本発明に係る長靴によれば、履き口から靴カバー部内に靴を挿入し、その靴で気体保持・供給手段を踏みつけることにより、気体を起立姿勢状態保持手段に供給し、胴部を折り畳み状態から起立姿勢状態に変形させ、かかる起立姿勢状態に保持することができるので、靴を履いたままでその外側に長靴を簡単に装着することができる。そして、胴部を常に起立姿勢状態に保持することができるので、使用中に胴部が下がってその上方から雨水などが浸入するのを防ぐことができる。また、未使用時には、胴部が折り畳まれているので、コンパクトな形とすることができ、携行を容易なものとすることができる。
【図面の簡単な説明】
【図１】本実施の形態における長靴の斜視図である。
【図２】長靴の構成を説明する概略図である。
【図３】長靴の装着方法を説明する図である。
【図４】第１の従来例を説明する図である。
【図５】第２の従来例を説明する図である。
【符号の説明】
１  長靴
１０  靴カバー部
１１  靴底
１２  爪先
１３  腰部
１４  踵
１５  履き口
１６  凹部
１７  気体保持・供給手段（ガス容器）
１８  ガス通路
２０  胴部
２１  内周壁
２２  外周壁
２３  起立姿勢状態保持手段
２４  中空部
２６  甲部
３０  靴
３１  踵
【図１】
2004305427.tif 000003
【図２】
2004305427.tif 000004
【図３】
2004305427.tif 000005
【図４】
2004305427.tif 000006
【図５】
2004305427.tif 000007